(57)【要約】【課題】輝度を向上することが可能であるとともに、視野角特性を制御可能な表示装置を提供することを目的とする。【解決手段】  配線基板１２０上において、マトリクス状に配置された画素ＰＸ毎に独立島状に形成された第１電極６０と、第１電極６０に対向して配置され全画素に共通に形成された第２電極６６と、第１電極６０と第２電極６６との間に保持された有機活性層６４と、を備えた表示装置であって、各画素ＰＸの周縁に沿った少なくとも一部に配置され、有機活性層６４内で発生した光を反射する機能を有した反射層ＲＬを備えたことを特徴とする。【選択図】      図３
2007073345.tif 000002
【特許請求の範囲】
【請求項１】
基板上において、マトリクス状に配置された画素毎に独立島状に形成された第１電極と、前記第１電極に対向して配置され全画素に共通に形成された第２電極と、前記第１電極と前記第２電極との間に保持された有機活性層と、を備えた表示装置であって、
各画素の周縁に沿った少なくとも一部に配置され、前記有機活性層内で発生した光を反射する機能を有した反射層を備えたことを特徴とする表示装置。
【請求項２】
前記反射層は、各画素の全周に沿って配置されたことを特徴とする請求項１に記載の表示装置。
【請求項３】
前記反射層は、前記第１電極の周縁に沿って配置されたことを特徴とする請求項１に記載の表示装置。
【請求項４】
前記反射層は、配線の一部であることを特徴とする請求項１に記載の表示装置。
【請求項５】
基板の一主面上において、マトリクス状に配置された画素毎に独立島状に形成された第１電極と、前記第１電極に対向して配置され全画素に共通に形成された第２電極と、前記第１電極と前記第２電極との間に保持された有機活性層と、を備えた表示装置であって、
前記主面の法線方向とは異なる所定方向から観察した際の輝度が最大であることを特徴とする表示装置。
【請求項６】
各画素の周縁に沿った一部に配置され、前記有機活性層内で発生した光を反射する機能を有した反射層を備えたことを特徴とする請求項５に記載の表示装置。
【発明の詳細な説明】
【技術分野】
【０００１】
この発明は、表示装置に係り、特に、複数の自発光性素子によって構成された表示装置に関する。
【背景技術】
【０００２】
近年、平面表示装置として、有機エレクトロ・ルミネッセンス（ＥＬ）表示装置が注目されている。この有機ＥＬ表示装置は、自発光性素子であることから、視野角が広く、バックライトを必要とせず薄型化が可能であり、消費電力が抑えられ、且つ応答速度が速いといった特徴を有している。
【０００３】
これらの特徴から、有機ＥＬ表示装置は、液晶表示装置に代わる、次世代平面表示装置の有力候補として注目を集めている。このような有機ＥＬ表示装置は、アレイ基板として陽極と陰極との間に発光機能を有する有機化合物を含む有機活性層を挟持した有機ＥＬ素子をマトリックス状に配置することにより構成される。
【０００４】
しかしながら、このような有機ＥＬ表示装置においては、有機ＥＬ素子内で発生した光がアレイ基板を構成するガラス基板や絶縁膜、あるいは有機ＥＬ素子の内部に閉じ込められ、外部に有効に取り出すことができず、十分な輝度が得られないといった問題がある。そこで、有機ＥＬ素子内で発生した光の取出効率を向上するために、回折格子を配置する技術が提案されている（例えば、特許文献１参照）。
【特許文献１】特開２００３−１６３０７５号公報
【発明の開示】
【発明が解決しようとする課題】
【０００５】
上述したように、従来の有機ＥＬ表示装置においては、アレイ基板の法線方向から観察したときの輝度すなわち正面輝度を要求されるレベルまで確保することは極めて困難である。十分な正面輝度を得ようとするならば、有機ＥＬ素子内に大電流を供給する必要がある。これは、有機ＥＬ表示装置の消費電力の増大を招くとともに、有機ＥＬ素子の寿命を著しく短縮させてしまう。
【０００６】
一方で、有機ＥＬ表示装置は、視野角特性に優れているといった特徴を有している。つまり、有機ＥＬ表示装置をアレイ基板の法線方向から観察したときに限らず、法線に対して数十度傾いた方向から観察したときであっても正面輝度と同レベルの輝度が得られるといった特徴を有している。しかしながら、携帯電話などの携帯端末機器に用いられる表示装置としては、プライバシー保護の観点から視野角を狭めるすなわち特定方向から観察したときの輝度が最も高くなるような要求が高まっている。
【０００７】
そこで、この発明は、上述した問題点に鑑みなされたものであって、その目的は、輝度を向上することが可能であるとともに、視野角特性を制御可能な表示装置を提供することにある。
【課題を解決するための手段】
【０００８】
この発明の第１の態様による表示装置は、
基板上において、マトリクス状に配置された画素毎に独立島状に形成された第１電極と、前記第１電極に対向して配置され全画素に共通に形成された第２電極と、前記第１電極と前記第２電極との間に保持された有機活性層と、を備えた表示装置であって、
各画素の周縁に沿った少なくとも一部に配置され、前記有機活性層内で発生した光を反射する機能を有した反射層を備えたことを特徴とする。
【０００９】
この発明の第２の態様による表示装置は、
基板の一主面上において、マトリクス状に配置された画素毎に独立島状に形成された第１電極と、前記第１電極に対向して配置され全画素に共通に形成された第２電極と、前記第１電極と前記第２電極との間に保持された有機活性層と、を備えた表示装置であって、
前記主面の法線方向とは異なる所定方向から観察した際の輝度が最大であることを特徴とする。
【００１０】
上述した構成の表示装置によれば、有機活性層内で発生した光を有効利用することが可能となる。すなわち、基板内に閉じ込められ輝度に寄与しなかった光の一部は、反射層によって反射される。このため、反射方向を制御することにより、基板内部に閉じ込められていた光の一部を取り出すことができ、反射光を有効利用することができる。したがって、輝度の向上を図ることが可能となる。
【００１１】
また、画素周縁における反射層の配置位置により視野角特性を制御することが可能となる。すなわち、画素の全周にわたって反射層を配置することにより、有機活性層内で発生した光のうち、画素の周囲に向かって拡散する光を画素の中央部に向けて反射することができ、基板の法線方向すなわち正面方向の輝度を向上することが可能となる。また、画素の周縁に沿った一部に反射層を配置することにより、画素の周囲に向かって拡散する一部の光を所定の反射方向に反射することができ、反射方向の輝度を向上することが可能となる。つまり、特定方向から観察した際の輝度が最大となり、視認可能な視野角を狭めることができる。このように輝度が最大となる特定方向は、各画素に設ける反射層の位置に応じて決定されるため、容易に視野角特性を制御することが可能となる。
【発明の効果】
【００１２】
この発明によれば、輝度を向上することが可能であるとともに、視野角特性を制御可能な表示装置を提供することができる。
【発明を実施するための最良の形態】
【００１３】
以下、この発明の一実施の形態に係る表示装置について図面を参照して説明する。なお、この実施の形態では、表示装置として、自己発光型表示装置、例えば有機ＥＬ（エレクトロ・ルミネッセンス）表示装置を例にして説明する。
【００１４】
図１乃至図３に示すように、有機ＥＬ表示装置１は、画像を表示する表示エリア１０２を有するアレイ基板１００と、アレイ基板１００の少なくとも表示エリア１０２を密封する封止体２００とを備えて構成されている。表示エリア１０２は、マトリクス状に配置された複数の画素ＰＸ（Ｒ、Ｇ、Ｂ）によって構成されている。
【００１５】
各画素ＰＸ（Ｒ、Ｇ、Ｂ）は、オン画素とオフ画素とを電気的に分離し、かつオン画素への映像信号を保持する機能を有する画素スイッチ１０及び画素スイッチ１０を介して供給される映像信号に基づき表示素子へ所望の駆動電流を供給する駆動トランジスタ２０と、駆動トランジスタ２０のゲート−ソース間電位を所定期間保持する蓄積容量素子３０とを備えている。これら画素スイッチ１０および駆動トランジスタ２０は例えば薄膜トランジスタにより構成され、ここではその半導体層にポリシリコンを用いている。
【００１６】
各画素ＰＸ（Ｒ、Ｇ、Ｂ）は、表示素子としての有機ＥＬ素子４０（Ｒ、Ｇ、Ｂ）をそれぞれ備えている。すなわち、赤色画素ＰＸＲは、赤色に発光する有機ＥＬ素子４０Ｒを備えている。緑色画素ＰＸＧは、緑色に発光する有機ＥＬ素子４０Ｇを備えている。青色画素ＰＸＢは、青色に発光する有機ＥＬ素子４０Ｂを備えている。
【００１７】
各種有機ＥＬ素子４０（Ｒ、Ｇ、Ｂ）は、基本的に同一構造であり、画素ＰＸ毎に独立島状に形成された第１電極６０と、第１電極６０に対向して配置され全画素ＰＸに共通に形成された第２電極６６と、これら第１電極６０と第２電極６６との間に保持された有機活性層６４と、によって構成される。
【００１８】
また、アレイ基板１００は、画素ＰＸの行方向（すなわち図１のＹ方向）に沿って配置された複数の走査線Ｙｍ（ｍ＝１、２、…）と、走査線Ｙｍと略直交する方向（すなわち図１のＸ方向）に沿って配置された複数の信号線Ｘｎ（ｎ＝１、２、…）と、有機ＥＬ素子４０の第１電極６０側に電源を供給するための電源供給線Ｐと、を備えている。さらに、アレイ基板１００は、表示エリア１０２の外周に沿った周辺エリア１０４に、走査線Ｙｍに走査信号を供給する走査線駆動回路１０７と、信号線Ｘｎに映像信号を供給する信号線駆動回路１０８と、を備えている。
【００１９】
すべての走査線Ｙｍは、走査線駆動回路１０７に接続されている。また、すべての信号線Ｘｎは、信号線駆動回路１０８に接続されている。画素スイッチ１０は、ここでは走査線Ｙｍと信号線Ｘｎとの交差部近傍に配置されている。駆動トランジスタ２０は、有機ＥＬ素子４０と直列に接続されている。蓄積容量素子３０は、画素スイッチ１０と直列に、且つ駆動トランジスタ２０と並列に接続されており、蓄積容量素子３０の両電極は、駆動トランジスタ２０のゲート電極及びソース電極にそれぞれ接続されている。
【００２０】
電源供給線Ｐは、表示エリア１０２の周囲に配置された図示しない第１電極電源線に接続されている。有機ＥＬ素子４０の第２電極６６側端は、表示エリア１０２の周囲に配置されコモン電位ここでは接地電位を供給する図示しない第２電極電源線に接続されている。
【００２１】
より詳細に説明すると、画素スイッチ１０のゲート電極は走査線Ｙｍに接続され、ソース電極は信号線Ｘｎに接続され、ドレイン電極は蓄積容量素子３０の一端及び駆動トランジスタ２０のゲート電極に接続されている。駆動トランジスタ２０のソース電極は蓄積容量素子３０の他端及び電源供給線Ｐに接続され、ドレイン電極は有機ＥＬ素子４０の第１電極６０に接続されている。
【００２２】
図２及び図３に示すように、アレイ基板１００は、配線基板１２０上に配置された有機ＥＬ素子４０及び各画素ＰＸ（Ｒ、Ｇ、Ｂ）を分離する隔壁７０を備えている。なお、配線基板１２０は、ガラス基板やプラスチックシートなどの絶縁性支持基板上に、画素スイッチ１０、駆動トランジスタ２０、蓄積容量素子３０、走査線駆動回路１０７、信号線駆動回路１０８、各種配線（走査線、信号線、電源供給線等）などを備えて構成されたものとする。
【００２３】
有機ＥＬ素子４０を構成する第１電極６０は、配線基板１２０表面の絶縁膜上に配置される。この第１電極６０は、ここではＩＴＯ（Ｉｎｄｉｕｍ  Ｔｉｎ  Ｏｘｉｄｅ：インジウム・ティン・オキサイド）やＩＺＯ（インジウム・ジンク・オキサイド）などの光透過性導電部材によって形成され、陽極として機能する。
【００２４】
有機活性層６４は、少なくとも発光機能を有する有機化合物を含み、各色共通に形成されるホールバッファ層、エレクトロンバッファ層、及び各色毎に形成される有機発光層の３層積層で構成されても良く、機能的に複合された２層または単層で構成されても良い。例えば、ホールバッファ層は、陽極および有機発光層間に配置され、芳香族アミン誘導体やポリチオフェン誘導体、ポリアニリン誘導体などの薄膜によって形成される。発光層は、赤、緑、または青に発光する発光機能を有する有機化合物によって形成される。この発光層は、例えば高分子系の発光材料を採用する場合には、ＰＰＶ（ポリパラフェニレンビニレン）やポリフルオレン誘導体またはその前駆体などの薄膜により構成される。
【００２５】
第２電極６６は、有機活性層６４上に各有機ＥＬ素子４０に共通に配置される。この第２電極６６は、例えばＣａ（カルシウム）、Ａｌ（アルミニウム）、Ｂａ（バリウム）、Ａｇ（銀）、Ｙｂ（イッテルビウム）などの電子注入機能を有する金属膜によって形成され、陰極として機能している。この第２電極６６は、陰極として機能する金属膜の表面をカバーメタルで被覆した２層構造であっても良い。カバーメタルは、例えばアルミニウムによって形成される。
【００２６】
隔壁７０は、配線基板１２０上に独立島状に形成された第１電極６０の周縁に沿って格子状またはストライプ状に配置されている。この隔壁７０は、有機活性層６４を構成する材料に対して親液性を有する有機材料によって形成された第１絶縁層７１、及び、第１絶縁層７１上に配置され疎液性を有する有機材料によって形成された第２絶縁層７２を積層した構造を有している。このような構造の隔壁７０は、第１電極６０を画素毎に電気的に分離するとともに、第１電極６０を露出し、第１電極６０上への有機活性層６４の配置を可能とする。第１絶縁層７１によって規定される部分すなわち第１電極６０が露出した部分は、実質的に表示に寄与する開口部ＡＰとなる。
【００２７】
このように構成された有機ＥＬ素子４０では、第１電極６０と第２電極６６との間に挟持された有機活性層６４に電子及びホールを注入し、これらを再結合させることにより励起子を生成し、この励起子の失活時に生じる所定波長の光放出により発光する。ここでは、このＥＬ発光は、アレイ基板１００の下面側すなわち第１電極６０側から出射される。
【００２８】
ところで、アレイ基板１００は、各画素ＰＸに反射層ＲＬを備えている。この反射層ＲＬは、有機活性層６４内で発生したＥＬ発光を反射する機能を有している。この反射層ＲＬは、各画素ＰＸの周縁に沿った少なくとも一部に配置される。このような反射層ＲＬは、アルミニウムなどの金属材料で形成しても良いし、反射機能を有していれば他の材料で形成しても良い。
【００２９】
なお、反射層ＲＬは、アレイ基板内に形成される各種配線のいずれか（例えばアルミニウム配線）で形成しても良い。この場合、反射層ＲＬを配置する位置にいずれかの配線を引き回せば良いため、反射層ＲＬを形成するための別個の工程が不要となり、製造コストを低減できるとともに製造歩留まりを向上することができる。また、反射層ＲＬは、画素毎に独立して形成しても良い。この場合、配線の配置位置にかかわらず、所望の位置に反射層ＲＬを配置することが可能となり、視野角特性を制御しやすくなる。
【００３０】
以下に、反射層ＲＬの配置位置が異なる構造例と、それぞれの構造例における特徴について説明する。なお、以下の構造例では、各画素ＰＸは、アレイ基板主面内において、０°−１８０°方位に沿って延びた対向する２辺と、９０°−２７０°方位に沿って延びた対向する２辺とで囲まれた略矩形状であるものとする。
【００３１】
（第１構造例）  
図２及び図３に示すように、第１構造例の有機ＥＬ表示装置は、各画素ＰＸの全周に沿って配置された反射層ＲＬを備えている。すなわち、反射層ＲＬは、略矩形状の第１電極６０の周縁に沿って配置されている。図３に示した例では、反射層ＲＬは、第１電極６０の周縁に密着している。
【００３２】
有機ＥＬ表示装置では、有機活性層６４内で発生したＥＬ発光のうち、アレイ基板１００の下面側から出射されなかった光すなわち配線基板１２０内もしくは第１電極６０内に閉じ込められた光は、輝度に寄与せず、有効利用されていなかった。そこで、上述したような反射層ＲＬを設けたことにより、画素ＰＸの周縁に向かって拡散する光の一部をアレイ基板１００の下面側に向けて反射することが可能となる（例えば図３に矢印Ａで示した出射経路）。つまり、反射層ＲＬによって反射された反射光を有効利用することができ、輝度を向上することが可能となる。特に、反射層ＲＬは画素ＰＸの全周にわたって配置されているため、画素ＰＸの周縁（画素の４辺）に向かって拡散する光を画素ＰＸの中央部に向けて反射することができ、アレイ基板１００の法線方向すなわち正面方向の輝度を向上することが可能となる。
【００３３】
ここで、第１構造例の有機ＥＬ表示装置における視野角特性について説明する。なお、比較例として、画素の形状及び開口部の面積（発光に寄与する面積）が同一であり、かつ、反射層ＲＬを備えていない有機ＥＬ表示装置を用いた。両者の視野角特性を比較するに当たり、１有機ＥＬ素子当たりに流れる電流が同一となるように駆動させ、輝度計を用いて互いの視野角特性すなわち傾き角θに対する相対輝度を測定した。なお、傾き角θは、図４に示すように、マトリクス状に配置された画素ＰＸを備えたアレイ基板１００の法線Ｚを０°とし、この法線Ｚに対する傾きに相当するものとする。
【００３４】
図５は画素ＰＸの０°−１８０°方位における傾き角θに対する相対輝度の測定結果を示す図であり、図６は画素ＰＸの９０°−２７０°方位における傾き角θに対する相対輝度の測定結果を示す図である。
【００３５】
図５及び図６に示すように、比較例においては、法線Ｚに対して６０°程度傾いた方向から観察したときであっても法線方向（θ＝０°）から観察したときと略同一の輝度であるのに対して、第１構造例においては、特定方向から観察した際の輝度が最大となる。すなわち、第１構造例においては、法線方向から観察した際の輝度が最大となり、しかも、θ＝０°から６０°付近までは比較例よりも高い輝度が得られた。この第１構造例においては、法線方向の輝度は、比較例の約１．３倍であった。
【００３６】
また、いずれの方位の傾き角θについても傾き角θが大きくなるほど輝度が低くなるような分布が得られた。さらに、０°−１８０°方位についても９０°−２７０°方位についても、傾き角θが６０°付近までの範囲では観察方向を問わず、いずれの方向から観察した場合であっても高い輝度が得られ、幅広い用途での利用が可能となる。また、法線方向の輝度について、比較例と同レベルに設定した場合、第１構造例の有機ＥＬ表示装置の消費電力を低減することができ、且つ、周辺から画面の表示内容が見えにくいという特徴が得られる。
【００３７】
（第２構造例）  
図７に示すように、第２構造例の有機ＥＬ表示装置は、各画素ＰＸの対向する２辺に沿って配置された反射層ＲＬを備えている。ここでは、反射層ＲＬは、９０°−２７０°方位に沿った２辺に沿って配置されている。この第２構造例においては、画素ＰＸの周縁のうち対向する２辺に向かって拡散する光すなわち０°−１８０°方位に向かって拡散する光を画素ＰＸの中央部に向けて反射することができ、光の利用効率を向上することができる。
【００３８】
ここで、第２構造例の有機ＥＬ表示装置における視野角特性について説明する。図８は画素ＰＸの０°−１８０°方位における傾き角θに対する相対輝度の測定結果を示す図であり、図９は画素ＰＸの９０°−２７０°方位における傾き角θに対する相対輝度の測定結果を示す図である。
【００３９】
図８及び図９に示すように、第２構造例においては、特定方向から観察した際の輝度が最大となる。すなわち、第２構造例においては、０°−１８０°方位については法線方向から観察した際の輝度が最大となり、しかも、θ＝０°から６０°付近までは比較例よりも高い輝度が得られた。また、９０°−２７０°方位については全ての傾き角θについて略均一な輝度が得られるとともに比較例よりも高い輝度が得られた。この第２構造例においては、法線方向の輝度は、比較例の約１．１５倍であった。
【００４０】
このように、第２構造例では、画素ＰＸの０°−１８０°方位に沿った２辺に沿って反射層ＲＬが配置されていないため、第１構造例ほど高い輝度は得られないが、０°−１８０°方位と９０°−２７０°方位とで異なる輝度分布が得られ、幅広い用途での利用が可能となる。
【００４１】
例えば、携帯端末機器に第２構造例の有機ＥＬ表示装置を採用した場合、０°−１８０°方位を画面の左右方位に対応させ、９０°−２７０°方位を画面の上下方位に対応させることにより、利用者にとっては、正面方向から上下方位に視角を振った際に高い輝度での表示が可能となり、また、画面の左右方位については視野角を狭めることができる（正面方向から数十度傾いた範囲のみ高い輝度が得られる）ため、利用者のプライバシーを保護することが可能となる。
【００４２】
（第３構造例）  
図１０に示すように、第３構造例の有機ＥＬ表示装置は、各画素ＰＸの１辺に沿って配置された反射層ＲＬを備えている。ここでは、反射層ＲＬは、９０°−２７０°方位に沿った１辺のみに配置されているものとする。この第３構造例においては、画素ＰＸの周縁のうち、特定の１辺に向かって拡散する光を画素ＰＸの中央部に向けて反射することができ、光の利用効率を向上することができる。
【００４３】
ここで、第３構造例の有機ＥＬ表示装置における視野角特性について説明する。図１１は画素ＰＸの０°−１８０°方位における傾き角θに対する相対輝度の測定結果を示す図であり、図１２は画素ＰＸの９０°−２７０°方位における傾き角θに対する相対輝度の測定結果を示す図である。
【００４４】
図１１及び図１２に示すように、第３構造例においては、特定方向から観察した際の輝度が最大となる。すなわち、第３構造例においては、０°−１８０°方位については法線方向とは異なる方向（φ＝１８０°、θ＝２０°）から観察した際の輝度が最大となり、しかも、θ＝０°から６０°付近までは比較例よりも高い輝度が得られた。また、９０°−２７０°方位については全ての傾き角θについて略均一な輝度が得られるとともに比較例よりも高い輝度が得られた。この第３構造例においては、傾き角が２０°の方向における輝度は、比較例の約１．１５倍であった。
【００４５】
このように、第３構造例では、第１構造例ほど高い輝度は得られないが、視野角特性を制御することが可能となり、０°−１８０°方位と９０°−２７０°方位とで異なる輝度分布が得られ、しかも、正面方向以外の方向での輝度が最大となるため、幅広い用途での利用が可能となる。
【００４６】
例えば、利用者の頭上付近に設置されるような表示装置に第３構造例の有機ＥＬ表示装置を採用した場合、０°−１８０°方位を画面の上下方位に対応させ、９０°−２７０°方位を画面の左右方位に対応させることにより、正面方向より下方から表示装置を観察した際の輝度が最大となる。このため、利用者が表示装置を見上げる方向での輝度が高くなり、しかも左右方位についてはいずれの方向からも高い輝度が得られる。
【００４７】
以上説明したように、この実施の形態に係る表示装置によれば、画素の周縁に反射層を設けたことにより、有機活性層において発生したＥＬ発光を有効に外部に出射させることが可能となるとともに、特定方向の輝度を向上させ、視野角を傾けると（傾き角が大きくなると）輝度が低下するという視野角特性を得ることができる。また、反射層の配置位置及びその形状を種々変更することにより、表示装置の視野角特性を制御することが可能となる。
【００４８】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４９】
上述した実施の形態では、画素が略矩形状であって、第１構造例では画素の全周に沿って反射層を備え、第２構造例では画素の対向する２辺に沿って反射層を備え、第３構造例では画素の一辺に沿って反射層を備えた例について説明したが、反射層は、画素の周縁に沿った少なくとも一部に配置すれば良く、画素の一辺上に島状に配置しても良いし、直交する２辺に配置しても良い。また、画素が矩形状ではなく多角形状であっても、また、画素が円形状や楕円形状であっても、同様に、反射層はその周縁の少なくとも一部に配置すれば良い。画素の一部に反射層を配置する場合、各画素の同じ位置に反射層を設けることで高い指向性を得ることができる。
【００５０】
また、反射層は、画素の周縁に沿った少なくとも一部に配置されていれば良く、反射層を第１電極の周縁に密着するように配置しても良いし、有機活性層内で発生した光を透過する光透過性を有する絶縁層を反射層と第１電極との間に介しても良い。
【図面の簡単な説明】
【００５１】
【図１】図１は、この発明の一実施の形態にかかる有機ＥＬ表示装置の構成を概略的に示す図である。
【図２】図２は、図１に示した有機ＥＬ表示装置における１画素分の構造を概略的に示す平面図である。
【図３】図３は、図２に示した１画素をａ−ａ’線で切断したときの構造を概略的に示す断面図である。
【図４】図４は、アレイ基板内における方位φ及び傾き角θを説明するための図である。
【図５】図５は、第１構造例における画素の０°−１８０°方位における傾き角θに対する相対輝度の測定結果を示す図である。
【図６】図６は、第１構造例における画素の９０°−２７０°方位における傾き角θに対する相対輝度の測定結果を示す図である。
【図７】図７は、第２構造例に係る１画素分の構造を概略的に示す平面図である。
【図８】図８は、第２構造例における画素の０°−１８０°方位における傾き角θに対する相対輝度の測定結果を示す図である。
【図９】図９は、第２構造例における画素の９０°−２７０°方位における傾き角θに対する相対輝度の測定結果を示す図である。
【図１０】図１０は、第３構造例に係る１画素分の構造を概略的に示す平面図である。
【図１１】図１１は、第３構造例における画素の０°−１８０°方位における傾き角θに対する相対輝度の測定結果を示す図である。
【図１２】図１２は、第３構造例における画素の９０°−２７０°方位における傾き角θに対する相対輝度の測定結果を示す図である。
【符号の説明】
【００５２】
１…有機ＥＬ表示装置
１０…画素スイッチ
２０…駆動制御素子
４０…有機ＥＬ素子
６０…第１電極
６４…有機発光層
６６…第２電極
７０…隔壁
１００…アレイ基板
１２０…配線基板
ＲＬ…反射層
【図１】
2007073345.tif 000003
【図２】
2007073345.tif 000004
【図３】
2007073345.tif 000005
【図４】
2007073345.tif 000006
【図５】
2007073345.tif 000007
【図６】
2007073345.tif 000008
【図７】
2007073345.tif 000009
【図８】
2007073345.tif 000010
【図９】
2007073345.tif 000011
【図１０】
2007073345.tif 000012
【図１１】
2007073345.tif 000013
【図１２】
2007073345.tif 000014